(57)【要約】【課題】  不規則な動きによる鳥類を忌避する効果を維持しつつ、強風などの厳しい条件下においても建築物に絡んだり建築物から外れて脱落するのを防止する鳥害防止装置及びその取付方法を提供することを目的とする。【解決手段】  高圧送電鉄塔を含む構築物に鳥害を防止するために配設される鳥害防止装置１であって、構築物の一部を形成する上下方向に離れた鉄骨４１，４２にそれぞれ装着される固定具２，３と、円環状の形状を有する鳥害防止器本体８と、鳥害防止器本体８の円環部９を貫いて両端が固定具２，３に取付けられたステンレス線４，５とを備える。【選択図】        図２
2007089533.tif 000002
【特許請求の範囲】
【請求項１】
高圧送電鉄塔を含む構築物に鳥害を防止するために配設される鳥害防止装置であって、
前記構築物の一部を形成する上下方向に離れた構築材にそれぞれ装着される固定具と、
円環状の形状を有する鳥害防止器本体と、
前記鳥害防止器本体の円環内を貫いて両端が前記固定具に取付けられた索条と
を備えることを特徴とする鳥害防止装置。
【請求項２】
請求項１において、
前記固定具の間の距離にあわせて、前記索条の長さを調節する調節手段を備えることを特徴とする鳥害防止装置。
【請求項３】
請求項１又は２の何れかにおいて、
前記鳥害防止器本体は螺旋状の形状を有し、頂部を前記索条の上部に取付け、吊り下げたことを特徴とする鳥害防止装置。
【請求項４】
請求項１又は２の何れかにおいて、
前記鳥害防止器本体は中央部に孔を有する円盤状の形状を少なくとも１枚以上有し、前記索条の上部に取付け、吊り下げたことを特徴とする鳥害防止装置。
【請求項５】
高圧送電鉄塔を含む構築物に鳥害を防止するために配設される円環状の形状を有する鳥害防止器本体の取付方法であって、
前記構築物の一部を形成する上下方向に離れた構築材に固定具をそれぞれ装着し、
前記鳥害防止器本体の円環内に索条を貫かせ、前記索条の両端を前記固定具に取付け、
前記索条に前記鳥害防止器本体を取付け、吊り下げたことを特徴とする鳥害防止器本体の取付方法。
【発明の詳細な説明】
【技術分野】
【０００１】
本発明は鳥害防止装置及びその取付方法に関し、特に高圧送電鉄塔等のように強風にさらされても鳥害防止装置を支持しなければならないという取付条件の厳しい場合に適用して有用なものである。
【背景技術】
【０００２】
鳥の中でもカラスは、木や鉄柱、あるいは高圧送電鉄塔等（以下鉄塔と称する）の高い場所に飛来し、繁殖期には、そのような高い場所に針金等を集めて巣を作る、いわゆる営巣の習性があり、特に市街地の餌場に近い鉄塔を格好の営巣場所とする傾向がある。この結果カラスが営巣のために集めてくる針金等の巣材が送電線に接触してショートの原因となることがあり、さらには停電事故に発展して、多大な経済的損失を招いている。
【０００３】
そこで、近年、このような停電事故を防止するため、例えば鉄塔の水平部分に、鳥が通り抜ける程度の大きさのリング部材を合成樹脂製の糸（釣り糸）からなる吊り下げ部材によって吊り下げて使用する鳥害防止装置が提案されている（特許文献１参照）。また、円状の防止具本体を金属ワイヤーからなる索条によって鉄塔の高い場所に吊り下げて使用する鉄塔用鳥害防止具が提案されている（特許文献２参照）。
【０００４】
【特許文献１】特開２０００−３４２１５７号公報
【特許文献２】特開２００１−１２８３４５号公報
【発明の開示】
【発明が解決しようとする課題】
【０００５】
特許文献１，２に示す鳥害防止装置は、カラスなどを忌避する効果を持つ忌避部分を、釣り糸や金属ワイヤーによって単純に吊り下げている。したがって風に吹かれると忌避部分が不規則な動きをするため、学習能力に優れたカラスに警戒心が生まれ忌避効果が生じている。
【０００６】
しかしながら、鉄塔のように数十メートルの高さの建築物に上述した鳥害防止装置を設置して、数十メートル毎秒に達する強風にあおられるような取付条件は考慮されていない。すなわち、釣り糸等が構築材に絡み付いて鳥害防止装置の不規則な動きを阻害したり、鳥害防止装置が釣り糸等から外れて鉄塔から脱落するため、鳥害防止装置として機能しないという問題がある。また、強風に耐えうる頑丈な取付具を用いると、高所に大きく重たい部材を持ち運び、取り付け作業を行うことになるので、簡便さに欠け、作業員の安全面にも問題がある。
【０００７】
本発明はこのような事情に鑑み、鳥類を忌避する忌避部分の不規則な動きによる忌避効果を維持しつつ、強風などの厳しい条件下においても建築物に絡まず、かつ建築物から外れて脱落するのを防止し、簡易に取付けることができる鳥害防止装置とその取付方法を提供することを目的とする。
【課題を解決するための手段】
【０００８】
上記目的を達成するための本発明の第１の態様は、
高圧送電鉄塔を含む構築物に鳥害を防止するために配設される鳥害防止装置であって、
前記構築物の一部を形成する上下方向に離れた構築材にそれぞれ装着される固定具と、
円環状の形状を有する鳥害防止器本体と、
前記鳥害防止器本体の円環内を貫いて両端が前記固定具に取付けられた索条と
を備えることを特徴とする鳥害防止装置。
【０００９】
かかる第１の態様では、鳥害防止器本体が両端を固定された索条によって貫かれているため、不規則な動きによって鳥類を忌避する効果を維持しつつも、強風にあおられても建築物に絡みつかないような鳥害防止装置が実現できる。
【００１０】
本発明の第２の態様は、第１の態様において、
前記固定具の間の距離にあわせて、前記索条の長さを調節する調節手段を備えることを特徴とする鳥害防止装置にある。
【００１１】
かかる第２の態様では、設置する箇所により固定部の間の距離が異なっても、索条の長さを調節することにより、その距離に応じて取付可能な鳥害防止装置が実現できる。
【００１２】
本発明の第３の態様は、第１又は２の何れかの態様において、
前記鳥害防止器本体は螺旋状の形状を有し、頂部が前記索条の上部に取付け、吊り下げたことを特徴とする鳥害防止装置にある。
【００１３】
かかる第３の態様では、より不規則な動きを実現して高い忌避効果を有する螺旋状の鳥害防止器本体であっても、建築物に絡んだり建築物から脱落するのを防ぐことができる。
【００１４】
本発明の第４の態様は、第１又は２の何れかの態様において、
前記鳥害防止器本体は中央部に孔を有する円盤状の形状を少なくとも１枚以上有し、前記索条の上部に取付け、吊り下げたことを特徴とする鳥害防止装置にある。
【００１５】
かかる第４の態様では、忌避効果を有する簡易な構造である円盤状の鳥害防止器本体であっても不規則な動きを維持しつつ、建築物に絡んだり、建築物から脱落するのを防ぐことができる。
【００１６】
本発明の第５の態様は、
高圧送電鉄塔を含む構築物に鳥害を防止するために配設される円環状の形状を有する鳥害防止器本体の取付方法であって、
前記構築物の一部を形成する上下方向に離れた構築材に固定具をそれぞれ装着し、
前記鳥害防止器本体の円環内に索条を貫かせ、前記索条の両端を前記固定具に取付け、
前記索条に前記鳥害防止器本体を取付け、吊り下げたことを特徴とする鳥害防止器本体の取付方法にある。
【００１７】
かかる第５の態様では、一定範囲内で可動できるようにしつつ強風にあおられても建築物に絡みつくことを防止できるよう、鳥害防止装置を建築物に設置することが可能となる。
【発明の効果】
【００１８】
本発明の鳥害防止装置によれば、索条が鳥害防止器本体の円環状の内側を貫き、索条の両端が固定されるため、鳥害防止器本体は索条を中心に一定範囲内で可動できるよう設置される。そのため、不規則な動きによって鳥類を忌避する効果を維持しつつも、強風にあおられて建築物に絡みつくことを防止できる効果を奏する。また、鳥害防止器本体を取付けている部分が外れた場合でも、索条の両端が固定されている限り、鳥害防止器本体の円環状の部分が索条に引っかかった状態になるため、鳥害防止器本体の落下を防止できる効果を奏する。
【発明を実施するための最良の形態】
【００１９】
以下、本発明を実施するための最良の形態について説明する。なお、本実施形態の説明は例示であり、本発明は以下の説明に限定されない。
【００２０】
＜実施形態１＞
図１は本発明の実施形態１に係る鳥害防止装置を鉄塔に設置した概略図である。図２は本発明の実施形態１に係る鳥害防止装置の斜視図である。図３は本発明の実施形態１に係る鳥害防止装置の断面図である。
【００２１】
図１に示すように鳥害防止装置１はカラス等の鳥類を忌避するために鉄塔４０の上下方向に離れた鉄骨４１、４２の間に取付けて使用する。取付ける箇所や個数は特に限定されず、鳥害防止装置１の忌避効果が及ぶ範囲に応じて設置すればよい。したがって、鉄塔４０の中心部に設置しただけでは架空電線を支持する部分であるアーム部の鉄骨４３、４４まで忌避効果が及ばない場合などに、必ずしも平行となっていないような鉄骨４３、４４の間に取付けることも可能である。
【００２２】
図２は鳥害防止装置１を鉄骨４１、４２の間に設置した際の構成を表している。鳥害防止装置１は光を反射する円環部９を含む螺旋状に形成された鳥害防止器本体８を具備し、円環部９と取付穴１０を貫いて、取付紐１１で鳥害防止器本体８を吊り下げるための索条としてステンレス線４，５と、ステンレス線４，５の両端を鉄骨４１，４２に固定するための固定具としてステンレスバンド２，３とからなっている。
【００２３】
鳥害防止器本体８は、光を反射する素材で覆われたほぼ環状の円環部９を有する螺旋状の構造をしたものであって、上部にはステンレス線５が通る取付穴１０と取付用の取付紐１１が設けられた構造となっている。鳥害防止器本体８の螺旋部分が風によって上下・回転運動をすることで不規則な反射光を出してカラス等の鳥類を忌避している。
【００２４】
ステンレスバンド２，３はステンレス線４，５を鉄塔４０の特定位置に固定するためのものである。それぞれ鉄骨４１，４２に巻きつけると共に、それぞれ止具１４，１５によって環状に構成されている。本実施形態１のように屋外で風雨にさらされる環境では耐久性や防錆効果の高いステンレスを用いることが好適であるが、鉄骨４１，４２に巻きつけられれば材質は特にステンレスに限定されない。
【００２５】
ステンレス線４，５は、鳥害防止器本体８を吊り下げ、かつ可動範囲を制限するために用いられるものである。ここでそれぞれの一方の輪６，７にステンレスバンド２，３をそれぞれ通し、固定している。この際必ずしも輪６，７は円形を形成する必要はないが、便宜上後述する鳥害防止装置の取付けの際のために形成するものである。ステンレス線４，５の他方の端は円環部９、取付穴１０、取付紐１１を通した状態でＯ字型スリーブ１２，１３によって圧着され一本化されている。なお、ステンレスバンド２，３と同様に、ステンレス線４，５も材質がステンレスに限定されるものではない。
【００２６】
Ｏ字型スリーブ１２，１３はＯ字型の断面を持つ管状の金属で形成されている。ステンレス線４，５を管の内部に通し、外側から圧着することでステンレス線４，５を一本化するために用いられる。圧着の際、Ｏ字型スリーブ１２，１３を移動させ圧着位置を変えることで、鉄骨４１，４２の間の距離と適合するようにステンレス線４，５を合わせた長さを調節することができる。
【００２７】
上述のような構成を有する鳥害防止装置１を具体的に鉄塔４０に取付ける際には以下のように行う。
【００２８】
鉄塔４０の取り付け箇所での作業工数を減らすために、事前に地上でステンレス線４，５のそれぞれの一方の端を巻いてステンレスバンド２，３が通る程度の輪６，７を加工しておく。
【００２９】
次に鉄塔４０の鳥害防止装置１の取り付け箇所にて、ステンレス線４，５の輪６，７にステンレスバンド２，３をそれぞれ通し、鉄骨４１，４２に巻きつけ、止具１４，１５で止めて環状にして固定する。
【００３０】
次にステンレス線５を円環部９、取付穴１０、Ｏ字型スリーブ１３、取付紐１１、Ｏ字型スリーブ１２の順に通し保持する。ステンレス線５を通した反対の方向から、ステンレス線４をＯ字型スリーブ１２，１３の順に通し、ステンレス線４，５が鉄骨４１，４２の間で弛まない程度に長さを調節してＯ字型スリーブ１２，１３を圧着して一本化する。
【００３１】
上述の長さを調節するには、Ｏ字型スリーブ１２，１３の圧着位置を上下方向に移動し適切な位置で圧着することで実現できる。すなわち、ステンレス線４，５を切断したり、余剰部分を鉄骨４１，４２等に巻きつけて長さを調節する必要がない。したがって、余分な工数を減らし簡便化することで、特に鉄塔４０のような高度のある箇所での作業負担を軽減し、ひいては作業員の安全に寄与することができる。
【００３２】
なお、鉄塔４０の上部などの設置箇所で柔軟に長さを調節する必要がない場合は、ステンレス線４，５のように分離されている必要はなく、当初より一本のステンレスの線を用いることも可能である。すなわち、一本のステンレスの線の一端をステンレスバンド２に取り付け、他方の端を取付穴１０、円環部９を通し、余剰分を鉄骨４２に巻きつけＯ字型スリーブで圧着するか、輪７を作りステンレスバンド３などにより固定する。電柱などの比較的低高度の建築物に敷設するときのように、高所での作業がさほど負担にならないような場合に有効である。
【００３３】
以上のようにして鳥害防止器本体８はステンレス線４，５に貫かれステンレスバンド２，３で固定されて、ほぼ一直線上に鉄塔４０に取付けられることとなる。
【００３４】
このように鳥害防止装置１を取付けることにより、一本化されたステンレス線４，５と円環部９との間の遊びがあるため、鳥害防止器本体８の不規則な動きを担保して鳥類の忌避効果を維持しつつ、鳥害防止器本体８が強風にあおられても、一本化されたステンレス線４，５が円環部９の水平方向の移動を制限するので、鉄骨４１に絡みつかないようにすることができる。また鳥害防止器本体８を取付ける取付紐１１が切断された場合でも、円環部９、取付穴１０がステンレス線４，５に引っかかるので鳥害防止器本体８が鉄塔４０から脱落することを防止できる。
【００３５】
＜実施形態２＞
図４は本発明の実施形態２に係る鳥害防止装置の斜視図である。実施形態１の鳥害防止器本体８に変えて鳥害防止器本体２８を取付けたものである。
【００３６】
鳥害防止器本体２８は、ＣＤ−ＲＯＭ２９を具備し、ＣＤ−ＲＯＭ２９を適度な間隔をおいて平行に並べ、取付紐３１で吊り下げられる構造となっている。本実施形態２においてＣＤ−ＲＯＭ２９は反射能、機械的強度、耐候性、絶縁性に優れ円環部を有しておりカラス等の鳥類を忌避するのに好適であるが、ＣＤ−ＲＯＭ２９に限定されるものではない。
【００３７】
本実施形態２において、ステンレスバンド２２，２３、ステンレス線２４，２５の構成要素は実施形態１の対応する構成要素と同じである。
【００３８】
本実施形態２の鳥害防止装置２１を具体的に鉄塔４０に取付ける際には以下のように行う。
【００３９】
実施形態１の場合と同様に、地上にてステンレス線２４，２５の一方の端を巻いて輪２６，２７を作成し、鉄塔４０の鳥害防止装置２１の取り付け箇所にステンレスバンド２２，２３及びステンレス線２４，２５を取付ける。
【００４０】
ステンレス線２５をＣＤ−ＲＯＭ２９の中心の円を貫き、Ｏ字型スリーブ３３、Ｏ字型スリーブ３２の順に通し、脱落しないよう止具３０を取付た状態を保持する。以下、実施形態１の場合と同様にステンレス線２５を通した反対の方向から、ステンレス線４をＯ字型スリーブ３２，３３の順に通し、一本化したステンレス線２４，２５が鉄骨４１，４２の間で弛まない程度に長さを調節してＯ字型スリーブ３２，３３を圧着して固定する。
【００４１】
本実施形態２においては、本実施形態１と同様に簡易な取り付け方法で鳥害防止器本体２８が鉄骨４１に絡みついたり、鉄塔４０から脱落するのを防止することが可能である。さらに、ＣＤ−ＲＯＭ２９のような入手しやすい部材を用いることが可能であり、例えば不要・不良ＣＤ−ＲＯＭを用いることによってリサイクル品として有効に活用でき、特に経済面での効果がある。
【産業上の利用可能性】
【００４２】
本発明に係る鳥害防止装置を取付ける場合に関連する産業分野で利用することができる。
【図面の簡単な説明】
【００４３】
【図１】本発明の実施形態１に係る鳥害防止装置を鉄塔に設置した概略図である。
【図２】本発明の実施形態１に係る鳥害防止装置の斜視図である。
【図３】本発明の実施形態１に係る鳥害防止装置の断面図である。
【図４】本発明の実施形態２に係る鳥害防止装置の斜視図である。
【符号の説明】
【００４４】
１、２１                鳥害防止装置
２〜３、２２〜２３      ステンレスバンド
８，２８                鳥害防止器本体
４〜５、２４〜２５      ステンレス線
１２〜１３、３２〜３３  Ｏ字型スリーブ
４０                    鉄塔
４１〜４４              鉄骨
【図１】
2007089533.tif 000003
【図２】
2007089533.tif 000004
【図３】
2007089533.tif 000005
【図４】
2007089533.tif 000006